(57)【要約】【課題】組み立てるときのねじり力をユーザが調整、修正するのに都合がよい光学鏡筒を提供すること。【解決手段】光学鏡筒は、筒壁、雄ねじ、複数の突起を含み、該筒壁は軸方向に延在する。該雄ねじは該筒壁に形成され、該軸方向に沿って複数巻の螺旋状に延在する雄ねじの山および雄ねじの谷、該雄ねじの山により定められるクリアランス外径、該雄ねじの谷により定められるクリアランス内径を含む。該複数の突起は突出し、該雄ねじの谷に間隔を開けて設置され、それぞれ該雄ねじの谷から隔てられた、該雄ねじの谷と該雄ねじの山との間に位置する端面を有する。該光学鏡筒が金型を利用して加工成型されるとき、該複数の突起は、該金型の対応する外径寸法に対して修正を行い、それにより雌ねじとの間の組立のねじり力を変化させることができる。【選択図】図２
2015200879.tif 000002
【特許請求の範囲】
【請求項１】
軸方向に延在する筒壁と、
前記筒壁に前記軸方向に沿って複数巻の螺旋状に延在するように山および谷が形成されて構成され、当該山によりクリアランス外径が定められるとともに、当該谷によりクリアランス内径が定められる雄ねじと、
各々が、前記雄ねじの谷に向かって間隔を開けつつ突出するように設けられるとともに、当該雄ねじの谷から隔たりつつ前記軸方向と平行に前記クリアランス外径と前記クリアランス内径との間に位置する端面を有する複数の突起と、
を備えたことを特徴とする光学鏡筒。
【請求項２】
前記筒壁に対し、前記軸方向に沿って前記雄ねじの側に向かって見たときに当該雄ねじにより遮られないように設けられる測定用突起をさらに備えたことを特徴とする請求項１に記載の光学鏡筒。
【請求項３】
前記雄ねじの谷の１巻ごとに３つの突起が設けられることを特徴とする請求項１に記載の光学鏡筒。
【請求項４】
前記複数の突起は、等間隔で前記雄ねじの谷に分布し、且つ、前記軸方向と平行に当該雄ねじの谷と互いに位置が整合するように、設けられることを特徴とする請求項３に記載の光学鏡筒。
【請求項５】
前記複数の突起の各々の端面は、弧状を呈して前記クリアランス内径と同心となるように設けられることを特徴とする請求項１に記載の光学鏡筒。
【請求項６】
台座と、
前記台座と接続されて軸方向に延在する筒壁を有する光学鏡筒と、
前記光学鏡筒の筒壁内に収容される複数のレンズと、
前記台座および前記光学鏡筒の筒壁のうちの一方に、前記軸方向に沿って複数巻の螺旋状に延在するように山および谷が形成されて構成され、当該山により基準内径が定められるとともに、当該谷により基準外径が定められる雌ねじと、
当該雌ねじに対応するように前記台座および前記光学鏡筒の筒壁のうちの他方に、前記雌ねじと隙間嵌めされるとともに、前記軸方向に沿って複数巻の螺旋状に延在する山および谷が形成されて構成され、当該山により前記雌ねじの前記基準外径と比べて小なるクリアランス外径が定められるとともに、当該谷により前記雌ねじの前記基準内径と比べて小なるクリアランス内径が定められる雄ねじと、
各々が、前記雄ねじの谷に向かって間隔を開けつつ突出するように設けられるとともに、前記雄ねじの谷から隔たりつつ当該雌ねじの山と接触可能な端面を有する複数の突起と、
を備え、
前記雄ねじは、前記複数の突起の端面により、前記雌ねじの山を支持可能である
ことを特徴とする光学レンズ。
【請求項７】
前記台座および前記光学鏡筒の筒壁のうちの他方に対し、前記軸方向に沿って前記雄ねじの側に向かって見たときに当該雄ねじにより遮られないように設けられる測定用突起をさらに備えたことを特徴とする請求項６に記載の光学レンズ。
【請求項８】
前記雄ねじの谷の１巻ごとに３つの突起が設けられることを特徴とする請求項６に記載の光学レンズ。
【請求項９】
前記複数の突起は、等間隔で前記雄ねじの谷に分布し、且つ、前記軸方向と平行に当該雄ねじの谷と互いに位置が整合するように、設けられることを特徴とする請求項８に記載の光学レンズ。
【請求項１０】
前記複数の突起の各々の端面は、弧状を呈して前記クリアランス内径と同心になるように設けられることを特徴とする請求項６に記載の光学レンズ。
【発明の詳細な説明】
【技術分野】
【０００１】
本発明は光学レンズに関し、特に光学鏡筒および光学レンズに関する。
【背景技術】
【０００２】
図１に示すように、既知の光学レンズは、雌ねじ１０１を有する台座１０と、金型（図示せず）を利用して加工成型され、雄ねじ１１１を有する光学鏡筒１１と、該光学鏡筒１１内に収容される複数のレンズ１２と、を含む。ユーザの組立を便利にするため、さらに組立後の製品の品質を安定させるため、該台座１０および該光学鏡筒１１をねじ接合し、組み立てるときのねじり力の範囲は、往々にして製品検査時の重要な基準となっている。
【０００３】
組み立てるときのねじり力は、該台座１０の雌ねじ１０１と、該光学鏡筒１１の雄ねじ１１１との間の摩擦力が基となる。すなわち、該台座１０と該光学鏡筒１１との間が締り嵌めされるとき、ねじ接合で比較的大きな摩擦力が生じ、さらには比較的高いねじり力の値が産生される。
反対に、該台座１０と該光学鏡筒１１との間が隙間嵌めされるとき、ねじり力の値は比較的低い。したがって、該光学鏡筒１１が該金型を利用して加工成型されるとき、ユーザは、該金型の該雄ねじ１１１部分に対応する外径の寸法を修正する必要があり、そうでなければ必要なねじり力の値に達することができない。しかし、修正、調整するには、該金型の該雄ねじ１１１に対する位置に沿って徐々に修正していく必要があり、操作上不便である。
【先行技術文献】
【特許文献】
【０００４】
【特許文献１】中華民国特許公開第２０１３３１６６０号
【発明の概要】
【発明が解決しようとする課題】
【０００５】
したがって、本発明の第１の目的は、組み立てるときのねじり力をユーザが調整、修正するのに都合がよい光学鏡筒を提供することである。
【０００６】
したがって、本発明の第２の目的は、上記の光学鏡筒を利用し、隙間嵌めの公差を合わせて設置でき、さらには生産、組立性能が向上した光学レンズを提供することである。
【課題を解決するための手段】
【０００７】
そこで、本発明の光学鏡筒は、筒壁、雄ねじ、および複数の突起を含む。
【０００８】
該筒壁は軸方向に延在する。
【０００９】
該雄ねじは該筒壁に形成され、該軸方向に沿って複数巻の螺旋状に延在する雄ねじの山および雄ねじの谷、該雄ねじの山により定められるクリアランス外径、該雄ねじの谷により定められるクリアランス内径を含む。
【００１０】
該複数の突起は突出し、該雄ねじの谷に間隔を開けて設置され、それぞれ該雄ねじの谷から隔てられた、該軸方向と平行な方向に沿って該クリアランス外径と該クリアランス内径との間に位置する端面を有する。
【００１１】
そこで、本発明の光学レンズは、台座、光学鏡筒、複数のレンズ、雌ねじ、雄ねじ、および複数の突起を含む。
【００１２】
該光学鏡筒は該台座と接続され、さらに軸方向に延在する筒壁を含む。
【００１３】
該複数のレンズは、該光学鏡筒の筒壁内に収容される。
【００１４】
該雌ねじは、該台座および該光学鏡筒の筒壁のうちの一方に形成され、該軸方向に沿って複数巻の螺旋状に延在する雌ねじの山および雌ねじの谷、該雌ねじの山により定められる基準内径、該雌ねじの谷により定められる基準外径を含む。
【００１５】
該雄ねじは該雌ねじに対応して、該台座および該光学鏡筒の筒壁のうちのもう一方に形成され、該雌ねじと隙間嵌めされる。さらに、該軸方向に沿って複数巻の螺旋状に延在する雄ねじの山および雄ねじの谷、該雄ねじの山により定められる、該雌ねじの基準外径より数値が小さいクリアランス外径、該雄ねじの谷により定められる、該雌ねじの基準内径より数値が小さいクリアランス内径を含む。
【００１６】
該複数の突起は突出し、該雄ねじにおける雄ねじの谷に間隔を開けて設置され、それぞれ該雄ねじの谷から隔てられた、該雌ねじにおける雌ねじの山と接触できる端面を有する。該雄ねじは、該複数の突起の端面により該雌ねじにおける雌ねじの山を支持できる。
【発明の効果】
【００１７】
本発明の効果は次の通りである。ユーザは該雄ねじにおける該雄ねじの山および該雄ねじの谷の寸法公差を大きい面積で繰り返し修正する必要はなく、該複数の突起の外径寸法を小さい面積で、簡単に修正しさえすれば、組立のねじり力を調整する効果を達成できる。
【図面の簡単な説明】
【００１８】
【図１】既知の光学レンズの概要図である。
【図２】本発明の光学レンズの第１の好ましい実施例を説明する断面図である。
【図３】本発明の光学レンズの第１の好ましい実施例における雌ねじおよび雄ねじの組立位置の関係を説明する部分断面図である。
【図４】本発明の光学レンズの第１の好ましい実施例を説明する部分概要図である。
【図５】本発明の光学レンズの第１の好ましい実施例を説明する部分上面図である。
【図６】本発明の光学レンズの第２の好ましい実施例を説明する断面図である。
【発明を実施するための形態】
【００１９】
本発明のその他の特徴および効果について、図をもとにした実施方式において明確に示す。
【実施例】
【００２０】
本発明の詳細な記載の前に、以下の説明の内容において、類似の素子は同じ番号で表示することに注意すべきである。
【００２１】
図２、図３、図４に示すように、本発明の光学レンズの第１の好ましい実施例は、台座２、光学鏡筒３、複数のレンズ４、雌ねじ５、雄ねじ６、複数の突起７、および複数の測定用突起８を含む。
【００２２】
該光学鏡筒３は該台座２と接続され、さらに軸方向Ｌに延在する筒壁３１を含む。
【００２３】
該複数のレンズ４は、該光学鏡筒３の筒壁３１内に収容される。
【００２４】
該雌ねじ５は該台座２に形成され、該軸方向Ｌに沿って複数巻の螺旋状に延在する雌ねじの山５１および雌ねじの谷５２、該雌ねじの山５１により径方向に定められる基準内径Ｄ１、該雌ねじの谷５２により径方向に定められる基準外径Ｄ２を含む。
【００２５】
該雄ねじ６は該雌ねじ５に対応して、該光学鏡筒３の筒壁３１に形成され、該雌ねじ５と隙間嵌めされる。さらに、該軸方向Ｌに沿って複数巻の螺旋状に延在する雄ねじの山６１および雄ねじの谷６２、該雄ねじの山６１により径方向に定められる、該雌ねじ５の基準外径Ｄ２より数値が小さいクリアランス外径Ｄ３、該雄ねじの谷６２により径方向に定められる、該雌ねじ５の基準内径Ｄ１より数値が小さいクリアランス内径Ｄ４を含む。
【００２６】
本第１の好ましい実施例において、該雄ねじ６の該クリアランス外径Ｄ３と、該雌ねじ５の基準外径Ｄ２との間の数値の差、並びに該雄ねじ６の該クリアランス内径Ｄ４と、該雌ねじ５の基準内径Ｄ１との間の数値の差は、いずれも約０．０１〜０．０５ｍｍである。該雄ねじ６の斜面部および該雌ねじ５の斜面部も、約０．０１〜０．０５ｍｍの隙間を有する。
【００２７】
該複数の突起７は突出し、該雄ねじ６における雄ねじの谷６２に互いに間隔を開けて設置され、それぞれ該雄ねじの谷６２から隔てられた、該雌ねじ５における雌ねじの山５１と接触できる端面７１を有する。該雄ねじ６は、該複数の突起７の端面７１により該雌ねじ５における雌ねじの山５１を支持できる。
【００２８】
図２および図５に示すように、本第１の好ましい実施例において、雄ねじ６における雄ねじの谷６２の１巻ごとに等間隔で３つの突起７が設置され、該軸方向Ｌと平行な方向に沿って、互いに位置を合わせて設置される。
該複数の突起７の端面７１は弧状を呈し、該軸方向Ｌと平行な方向に沿って該雌ねじ５の基準内径Ｄ１に切り揃えられ、さらに該雄ねじ６の該クリアランス内径Ｄ４と同心に設置される。しかし、雄ねじの谷６２の１巻ごとに１個、２個または４個以上の突起７を設置することもでき、該複数の突起７を互いに均等でない間隔で設置するように設計することもでき、端面７１の形状も突点状または直線状など（図示せず）でもよく、本好ましい実施例で開示する態様に制限されるべきではない。
【００２９】
該複数の測定用突起８は該光学鏡筒３の筒壁３１に設置され、図５に示すように、該軸方向に沿って該雄ねじ６に向かって見たとき、該複数の測定用突起８は該雄ねじ６により遮られない。本好ましい実施例において、該複数の測定用突起８の数は３であり、形状は該複数の突起７に対応しており、該軸方向Ｌと平行な方向に沿って該複数の突起７と互いに位置を合わせて設置される。しかし、１個、２個または４個以上の測定用突起８を設置することもできる。他に、本第１の好ましい実施例において、該複数の測定用突起８は該光学鏡筒３の物体側に近接して設置されるが、該光学鏡筒３の像側に近接して設置されるように変更してもよい。
【００３０】
本第１の好ましい実施例において、該光学鏡筒３、該雄ねじ６、該複数の突起７、および該複数の測定用突起８は金型（図示せず）を使用して一体に加工成型される。より詳細には射出成型を採用する。説明すべきこととして、該光学鏡筒３および該雄ねじ６に射出成型を採用するとき、パーティングラインのバリの問題を克服するため、該雄ねじ６の外型に対して特殊な設計を行うが、本出願人が中華民国特許公開第２０１３３１６６０号に開示した内容を参考にできる。したがって、本第１の好ましい実施例において、該雄ねじの山６１のクリアランス外径Ｄ３は単一の数値で定められるものでなくてもよい。
【００３１】
図６に示すように、本発明の光学レンズの第２の好ましい実施例は、該第１の好ましい実施例に類似している。その違いは、該雌ねじ５が該光学鏡筒３の筒壁３１に位置し、該雄ねじ６、該複数の突起７および該複数の測定用突起８が、該台座２に位置することである。
【００３２】
特に説明することとして、上記第１の好ましい実施例および第２の好ましい実施例においては、該複数の突起７が該雄ねじ６における雄ねじの谷６２に設置される態様を用いて説明している。当然、該複数の突起７は該雌ねじ５における雌ねじの谷５２に設置するように変更してもよく、前記好ましい実施例で開示した内容に制限されるべきではない。
【００３３】
上記構造組成により、本発明の光学レンズの利点および効果を以下のようにまとめることができる。
【００３４】
１．該雌ねじ５および該雄ねじ６の隙間嵌めにより、該複数の突起７および該雌ねじ５の組立時に生じる摩擦力が、組立時のねじり力の基となる。したがって、ユーザは該複数の突起７と該雌ねじ５との間の嵌合における公差を調整しさえすれば、ねじり力を調整する効果を達成できる。該金型（図示せず）の加工、修正は、該複数の突起７部分の寸法に対応しており、既知の技術と比較して大変簡易である。
【００３５】
２．該雌ねじ５と該雄ねじ６との間の隙間嵌めにより、該金型を使用して加工成型するとき、該雄ねじ６の成型時の精度について過度な要求をする必要はなく、組み立てるとき、該雌ねじ５および該雄ねじ６の摩擦により粉塵が発生するのを防止できる。
【００３６】
３．該複数の突起７は、該軸方向Ｌと平行な方向に沿って互いに位置を合わせて設置されることにより、ユーザは該金型の対応する部分の修正を簡単で都合よく達成できる。
【００３７】
４．該複数の突起７と位置を合わせて設置される該複数の測定用突起８を設置することにより、ユーザは該複数の突起７の外径寸法を知る必要があるとき、該光学鏡筒３の上面方向から直接該複数の測定用突起８を測定でき、該雄ねじの谷６２に隠れた該複数の突起７を測定する必要はない。迅速に測定でき、さらには生産効率が向上する。
【００３８】
以上をまとめると、該複数の突起７の設置により、ユーザは該雄ねじ６における該雄ねじの山６１および該雄ねじの谷６２の寸法公差を繰り返し修正する必要はなく、該複数の突起７の外径寸法を都合よく、簡単に修正しさえすれば、組立のねじり力を調整する効果を達成できる。そのため、本発明の目的を確実に達成できる。
【００３９】
しかし、以上の記載は、本発明の好ましい実施例に過ぎず、これにより本発明の実施範囲を限定することはできない。すなわち、本発明の特許請求の範囲および明細書の内容に基づいて行われる簡単な同等の変化および修飾は、いずれも本発明の特許が包含する範囲内に属する。
【符号の説明】
【００４０】
Ｌ  軸方向
２  台座
３  光学鏡筒
３１  筒壁
４  レンズ
５  雌ねじ
５１  雌ねじの山
５２  雌ねじの谷
Ｄ１  基準内径
Ｄ２  基準外径
６  雄ねじ
６１  雄ねじの山
６２  雄ねじの谷
Ｄ３  クリアランス外径
Ｄ４  クリアランス内径
７  突起
７１  端面
８  測定用突起
【図１】
2015200879.tif 000003
【図２】
2015200879.tif 000004
【図３】
2015200879.tif 000005
【図４】
2015200879.tif 000006
【図５】
2015200879.tif 000007
【図６】
2015200879.tif 000008